(57)【要約】【課題】  間仕切パネルにおけるガラスパネル基材への外枠材の組付けを、一人作業で簡単に行えるようにし、作業性の向上を図るとともに、両者間の緩衝作用と組付け強度及び外観性を高める。【解決手段】  ガラスパネル基材１９の外周端部１９ｂを、外枠材２０の内周端部に形成した凹溝２１ａに嵌め込み保持させて組み付ける間仕切パネル１０におけるパネル材１８の組立構造であって、外枠材２０の凹溝２１ａ内に、この凹溝２１ａの長さ方向に延びる流入貯留溝２８を設け、隣接する外枠材２０の端部同士を引き寄せてコーナ部材をもって連結する際の締付力によって、ガラスパネル基材１９の外周端部１９ｂと、外枠材２０の凹溝２１ａにおける溝底面２１ｃとの間に介在させた加熱溶融型接着剤２７の一部を、前記流入貯留溝２８内に流入させた状態で、コーナ部材をもって隣接する外枠材２０の端部同士を連結し組み付ける。【選択図】        図９
2006016925.tif 000002
【特許請求の範囲】
【請求項１】
ガラスパネル基材の外周端部を、外枠材の内周端部に形成した凹溝に嵌め込み保持させて組み付ける間仕切パネルにおけるパネル材の組立方法であって、前記ガラスパネル基材の外周端部と、外枠材の前記凹溝における溝底面との間に、加熱溶融型接着剤を介在させて、ガラスパネル基材の外周端部に外枠材を仮止めした後、ガラスパネル基材に対する外枠材の相対移動を可能とする前記接着剤の性質を利用して、隣接する外枠材の端部同士を、コーナ部材をもって連結し組み付けることを特徴とするパネル材の組立方法。
【請求項２】
外枠材の凹溝内に、この凹溝の長さ方向に延びる流入貯留溝を設け、隣接する外枠材の端部同士を引き寄せてコーナ部材をもって連結する際の締付力によって、ガラスパネル基材の外周端部と、外枠材の凹溝における溝底面との間に介在させた加熱溶融型接着剤の一部を、前記流入貯留溝内に流入させた状態で、コーナ部材をもって隣接する外枠材の端部同士を連結し組み付けることを特徴とする請求項１記載のパネル材の組立方法。
【請求項３】
ガラスパネル基材の外周端部を、外枠材の内周端部に形成した凹溝に嵌め込み保持させて組み付ける間仕切パネルにおけるパネル材の組立構造であって、
外枠材の凹溝内に、この凹溝の長さ方向に延びる流入貯留溝を設け、隣接する外枠材の端部同士を引き寄せてコーナ部材をもって連結する際の締付力によって、ガラスパネル基材の外周端部と、外枠材の凹溝における溝底面との間に介在させた加熱溶融型接着剤の一部を、前記流入貯留溝内に流入させた状態で、コーナ部材をもって隣接する外枠材の端部同士を連結し組み付けたことを特徴とするパネル材の組立構造。
【請求項４】
流入貯留溝を、外枠材の凹溝における、ガラスパネル基材の後面周縁部と対面する部分を凹状となし、前記後面周縁部に沿って延設することにより形成したことを特徴とする請求項３記載のパネル材の組立構造。
【請求項５】
流入貯留溝を、その長さ方向に対する垂直断面視において、外枠材の凹溝における溝底面から離れるに従って、漸次幅狭としたことを特徴とする請求項３または４記載のパネル材の組立構造。
【請求項６】
ガラスパネル基材の前面周縁部と、外枠材の凹溝における前部保持面とを、相互に対面する傾斜面に面取りするとともに、両傾斜面を、外側において交差する異なる傾斜角度に形成したことを特徴とする請求項３〜５のいずれかに記載のパネル材の組立構造。
【発明の詳細な説明】
【技術分野】
【０００１】
本発明は、室内を仕切る間仕切パネルにおけるパネル材の組立方法及びその構造に関する。
【背景技術】
【０００２】
従来の間仕切パネルにおけるパネル材の組立方法として、たとえば特許文献１には、ガラスパネル基材の外周端部を、外枠材の内周端部に形成した凹溝に嵌め込むとともに、ガラスパネル基材の前面周縁部と、外枠材の凹溝における前部保持面とを、相互に対面する傾斜面に面取りし、これら両傾斜面の間、およびガラスパネル基材の後面周縁部と外枠材の後部保持面との間に、それぞれ通常の接着剤を充填して、ガラスパネル基材を、外枠材と同一面に保持し、パネル面をフラットにする組立方法が開示されている。
【０００３】
しかし、このような組立方法の場合、接着剤が乾くまでの間に、ガラスパネル基材がずれ易く、位置決めが容易でないばかりでなく、接着剤を適量充填することが困難であり、外部にはみ出した余分の接着剤を除去する手数を必要としていた。
【０００４】
また、接着剤に代えて、両面接着テープを用いる場合には、まず、両面接着テープの一方の保護紙を剥がして、外枠材の凹溝に両面接着テープを予め貼り付けて仮付けし、ガラスパネル基材を組み付けた後、残る一方の両面接着テープの保護紙を、ガラスパネル基材との間から引張って剥ぎ取ることとなる。しかし、保護紙が、剥ぎ取り作業途中で千切れると、パネル材の組立をやり直す必要がある。しかも、このようなガラスパネル基材への外枠材の組付けは、外枠材を支える者と、両面接着テープを引き剥がす者との二人で作業する必要があるため、作業性が劣るという問題がある。
【０００５】
【特許文献１】特開平６−２２９０７５号公報（図２）
【発明の開示】
【発明が解決しようとする課題】
【０００６】
本発明は、ガラスパネル基材への外枠材の組付けを、一人作業で簡単に行えるようにすることにより、作業性の向上を図るとともに、両者間の緩衝作用と組付け強度及び外観性を高めることができるようにした、間仕切パネルにおけるパネル材の組立方法及びその構造を提供することを目的とする。
【課題を解決するための手段】
【０００７】
上記課題は、特許請求の範囲における各請求項に示すように、下記の構成を備える発明によって解決される。
(１)  ガラスパネル基材の外周端部を、外枠材の内周端部に形成した凹溝に嵌め込み保持させて組み付ける間仕切パネルにおけるパネル材の組立方法であって、前記ガラスパネル基材の外周端部と、外枠材の前記凹溝における溝底面との間に、加熱溶融型接着剤を介在させて、ガラスパネル基材の外周端部に外枠材を仮止めした後、ガラスパネル基材に対する外枠材の相対移動を可能とする前記接着剤の性質を利用して、隣接する外枠材の端部同士を、コーナ部材をもって連結し組み付けるようにする。
【０００８】
(２)  上記(１)項において、外枠材の凹溝内に、この凹溝の長さ方向に延びる流入貯留溝を設け、隣接する外枠材の端部同士を引き寄せてコーナ部材をもって連結する際の締付力によって、ガラスパネル基材の外周端部と、外枠材の凹溝における溝底面との間に介在させた加熱溶融型接着剤の一部を、前記流入貯留溝内に流入させた状態で、コーナ部材をもって隣接する外枠材の端部同士を連結し組み付ける。
【０００９】
(３)  ガラスパネル基材の外周端部を、外枠材の内周端部に形成した凹溝に嵌め込み保持させて組み付ける間仕切パネルにおけるパネル材の組立構造であって、
外枠材の凹溝内に、この凹溝の長さ方向に延びる流入貯留溝を設け、隣接する外枠材の端部同士を引き寄せてコーナ部材をもって連結する際の締付力によって、ガラスパネル基材の外周端部と、外枠材の凹溝における溝底面との間に介在させた加熱溶融型接着剤の一部を、前記流入貯留溝内に流入させた状態で、コーナ部材をもって隣接する外枠材の端部同士を連結し組み付ける。
【００１０】
(４)  上記(３)項において、流入貯留溝を、外枠材の凹溝における、ガラスパネル基材の後面周縁部と対面する部分を凹状となし、前記後面周縁部に沿って延設することにより形成する。
【００１１】
(５)  上記(３)項または(４)項において、流入貯留溝を、その長さ方向に対する垂直断面視において、外枠材の凹溝における溝底面から離れるに従って、漸次幅狭とする。
【００１２】
(６)  上記(３)項〜(５)項のいずれかにおいて、ガラスパネル基材の前面周縁部と、外枠材の凹溝における前部保持面とを、相互に対面する傾斜面に面取りするとともに、両傾斜面を、外側において交差する異なる傾斜角度に形成する。
【発明の効果】
【００１３】
本発明によると、次のような効果が奏せられる。
請求項１記載の発明によれば、加熱溶融型接着剤を介在させて、ガラスパネル基材の外周端部に外枠材を仮止めする工程、およびこの仮止めした外枠材の端部同士をコーナ部材をもって連結し組み付ける工程のいずれの工程も、一人で簡単に作業することができるため、作業性が向上する。
【００１４】
請求項２記載の発明によれば、余分な加熱溶融型接着剤が流入貯留溝に流入し、外部にはみ出さないことから、はみ出した接着剤の除去作業を必要としないため、作業性が一層向上する。
さらに、接着剤がはみ出さないため外観性を高めることができ、かつ、流入貯留溝に流入した加熱溶融型接着剤の経時的固化によって、ガラスパネル基材を保護する緩衝作用、組付け強度、遮音効果等が向上する。
【００１５】
請求項３記載の発明によれば、請求項１，２に記載した発明と同様な効果が発揮される。
【００１６】
請求項４記載の発明によれば、加熱溶融型接着剤が円滑に流入することが可能な流入貯留溝を容易に形成することができる。
【００１７】
請求項５記載の発明によれば、加熱溶融型接着剤が、外部にはみ出すことなく、かつ流入貯留溝における幅広部分に円滑均一に流入し、美観、緩衝作用、組付け強度、遮音効果等の点で有利に作用する。
【００１８】
請求項６記載の発明によれば、ガラスパネル基材と外枠材とを同一面にし、かつガラスパネル基材と、外枠材の保持部との間の隙間を極力小さくすることができるため、パネル面のフラット感を高め、外観を向上させることができる。
【発明を実施するための最良の形態】
【００１９】
以下、本発明を図面に基づいて詳細に説明する。図１は、本発明の方法により組立てた間仕切パネルの一実施形態を示す斜視図、図２は、図１に示す間仕切パネルの要部分解斜視図、図３は、パネル材の背面図、図４は、図３におけるIV−IV線拡大断面図、図５は、図１におけるＶ−Ｖ線拡大断面図、図６は、図１におけるVI−VI線拡大断面図、図７は、ガラスパネル基材の外周端部に、隣接する外枠材の端部同士を連結する前の外枠材を仮止めした状態を示す要部拡大水平断面図、図８は、図７に示すパネル材の要部拡大図、図９は、外枠材によるガラスパネル基材の保持状態を示す要部拡大水平断面図、図１０は、図９に示すパネル材の要部拡大図である。
【実施例】
【００２０】
間仕切パネル装置(Ｐ)は、図１及び図５に示すように、オフィス等の部屋(１)の天井部(２)に配設した天レール(３)と、床面(４)にビス(５)をもって固定した地レール(６)との間に立設された、左右の支柱(７)(７)間に建て付けられている。
【００２１】
前記間仕切パネル装置(Ｐ)は、図６に示すように、前記支柱(７)(７)間に、タッピングねじ(８)、(９)を介してそれぞれ連結される、複数枚の間仕切パネル(10)で構成されている。
【００２２】
間仕切パネル(10)は、図２に示すように、例えばアルミニウム製のパネル枠体(11)を備えており、このパネル枠体(11)は、上下１対の横フレーム(12a)(12b)、左右１対の縦フレーム(13)(13)及び中間横フレーム(12c)からなる上下の矩形枠(14)(14)を備えている。
【００２３】
図６に示すように、矩形枠(14)を構成する左右の縦フレーム(13)(13)の前後方向の中央部には、左右方向の締着孔(15a)(15a)が設けられている。これらの締着孔(15a)(15a)は、前記支柱(７)に設けた左右方向の締着孔(15b)と連通している。これらの締着孔(15a)(15b)に締着したタッピングねじ(８)(９)により、隣り合う間仕切パネル(10)(10)におけるパネル枠体(11)(11)が、支柱(７)に、左右両側から連結されている。
【００２４】
矩形枠(14)の内周側面を形成する縦フレーム(13)における前後には、１対の連設片(16)(16)が、締着孔(15a)を間に存在させて左右方向の外側に向けて突出して形成されており、これらの連設片(16)(16)の外側に隣接して、凹部(17)(17)が形成されている（図９参照）。各凹部(17)には、後記するように、各矩形枠(14)の前後両面に背中合わせの状態でそれぞれ嵌め込まれる１対のパネル材(18)(18)を、取外し自在に係着してある。
【００２５】
パネル材(18)は、図３に示すように、正面視矩形状をなす透明または半透明のガラスパネル基材(19)と、このガラスパネル基材(19)における四辺の各外周端部をそれぞれ囲む、４本の外枠材(20)とで形成され、前記矩形枠(14)内に嵌合可能な形状を有している。
【００２６】
外枠材(20)は、例えばアルミニウムあるいは合成樹脂の押出し材により製作されており、その両端は、正面視において斜め４５°にそれぞれ切截されており、互いに対向する切截面同士を当接させることにより、枠状に連結されるようになっている。
【００２７】
外枠材(20)は、図４に示すように、前後方向における内周外側端に形成された保持部(21)と、この保持部(21)に内側に向けて一体に形成された基部(22)とを備えている。保持部(21)には、その内周端部にガラスパネル基材(19)の外周端部を嵌め込んで保持する凹溝(21a)が設けられている。
【００２８】
前記保持部(21)の凹溝(21a)は、ガラスパネル基材(19)の後面周縁部(19a)を保持する後部保持面(21b)と、ガラスパネル基材(19)の外周端部(19b)を保持する端部保持面（溝底面）(21c)と、ガラスパネル基材(19)の前面周縁部(19c)を保持する前部保持面(21d)とにより形成されている。
【００２９】
ガラスパネル基材(19)の前面周縁部(19c)と、外枠材(20)の保持部(21)の凹溝(21a)における前部保持面(21d)の角縁部(21e)とは、相互に対面する傾斜面に面取り形成されており、これらの傾斜面は、左右方向にオーバーラップするように対面している。これら互いに対面する傾斜面は、ガラスパネル基材(19)の前面周縁部(19c)における傾斜角度(θ1)が、前部保持面(21d)の角縁部(21e)における傾斜角度(θ2)よりも小さくなる（θ1＜θ2）ように、外側において交差するような異なる角度に形成されている。
【００３０】
このようにして、パネル材(18)におけるパネル面(18a)と、外枠材(20)の保持部(21)の凹溝(21a)における前部保持面(21d)の外側面とが同一平面になるようにするとともに、ガラスパネル基材(19)の前面周縁部(19c)を、凹溝(21a)の前部保持面(21d)における角縁部(21e)の先端部(21f)で直接挟み込むようにして、これらの両者間に隙間が生じることを防止している。
【００３１】
図６に示すように、前記基部(22)は、外枠材(20)の外周面を形成するとともに、内側端部に至るに従って漸次、矩形枠(14)を形成する縦フレーム(13)の内周面から離間する方向に傾斜する傾斜面として形成されている。このようにして生じた外枠材(20)の外周面と、前記縦フレーム(13)の内周面との間の空間を、各パネル枠体(11)の支柱(７)への固定時に用いるタッピングねじ(８)(９)の占有空間として確保するとともに、タッピングねじ(８)(９)の外部への露出を防止するように隠蔽している。
【００３２】
前記矩形枠(14)の前後両面にそれぞれ嵌め込まれる各パネル材(18)の外枠材(20)は、各基部(22)の内側端部(22a)が、矩形枠(14)の前後方向の中央部において、背中合わせの状態で互いに当接するようになっている。
【００３３】
外枠材(20)の基部(22)には、止着片(23)が、左右方向の外側向きに形成されている。この止着片(23)には、図９に示すように、頭部(25a)を円弧状に折曲された板ばね等の弾性舌片(25)が、止めねじ(26)により止着されている。弾性舌片(25)の頭部(25a)は、縦フレーム(13)の内周面に形成された凹部(17)に弾性的に係合しており、パネル材(18)を取外し自在に係着している。この係着によって、間仕切パネル(10)の建付け後におけるパネル材(18)の矩形枠(14)からの取外し交換作業を簡単に行うことができるようになっている。
【００３４】
縦フレーム(13)の内周面に、左右方向の内側に向けて突設された連設片(16)には、横孔(16a)が前後方向に貫設されて形成されている。この横孔(16a)には、弾性舌片(25)とともに止着片(23)に止めねじ(26)により止着された平面視Ｌ字形状の差込片(24)が挿入されるようになっている。この挿入によって、パネル材(18)を矩形枠(14)に安定して位置決めすることができる。弾性舌片(25)は、図３に示すように、左右の外枠材(20)(20)に各３個ずつ上下方向に所定間隔で設けられている。
【００３５】
図９に示すように、ガラスパネル基材(19)の外周端部(19b)と、外枠材(20)における保持部(21)の端部保持面（溝底面）(21c)との間には、加熱溶融型接着剤(27)を介在させてある。
【００３６】
加熱溶融型接着剤（ホットメルト接着剤）(27)は、一般に使用されているホットメルト接着剤を用いることができるが、特に好ましくは、ウレタン樹脂系のもの、たとえば、タイフォース（登録商標）、セキスイエスダイン（商標）などが用いられ、その他、ポリアミド系、飽和ポリエステル系、ナイロン系などが適宜用いられる。
【００３７】
ホットメルト接着剤(27)を介在させる、外枠材(20)の凹溝(21a)内には、この凹溝(21)の長さ方向に延びる流入貯留溝(28)が設けられている。
すなわち、外枠材(20)の凹溝(21)における、ガラスパネル基材(19)の後面周縁部(19a)と対面する部分を凹状となし、これを前記後面周縁部(19a)に沿って延設することにより、流入貯留溝(28)が形成されている。
【００３８】
ホットメルト接着剤(27)は、ガラスパネル基材(19)の外周端部(19b)への外枠材(20)の仮止め時の押し潰しや、隣接する外枠材(20)の端部同士を引き寄せてコーナ部材(29)をもって連結する際の締付力によって変形し、前記流入貯留溝(28)内に流入する。
【００３９】
流入貯留溝(28)は、その長さ方向に対する垂直断面視において、外枠材(20)の凹溝(21)における溝底面(21c)から離れるに従って、漸次幅狭に形成されているため、ホットメルト接着剤(27)は、流入貯留溝(28)における幅広部分に円滑均一に流入して貯留され、外部にはみ出すことがなく、そのまま経時的に固化する。
【００４０】
外枠材(20)における保持部(21)の後面と止着片(23)との間には、断面凸状の中空部(30)が、長手方向に沿って形成されている。この中空部(30)には、図４に示すように、ガラスパネル基材(19)の各外周端部(19b)への外枠材(20)の組付け時に、互いに隣接する各外枠材(20)の両端におけるコーナ部に、図３に示すＬ字形状のコーナ部材(29)の各挿入片(29a)(29a)が、それぞれ挿入されるようになっている。
【００４１】
前記コーナ部材(29)の挿入片(29a)は、止着片(23)の一部を切除した切除部(23a)を通して、前記中空部(30)に連通する皿孔(31)に向けて外側から挿入した皿ネジ(32)で締結することにより、互いに隣接する保持部(21)の端部同士を固定している。このコーナ部材(29)による固定によって、各外枠材(20)のガラスパネル基材(19)に対する組付け強度を高めることができる。
【００４２】
次に、前記パネル材(18)の組立て要領について説明する。まず、図７，図８に示すように、ガラスパネル基材(19)の四辺における各外周端部(19b)に、加熱溶融したホットメルト接着剤(27)を塗布し、外枠材(20)を、ガラスパネル基材(19)の各外周端部(19b)に仮止めする。
【００４３】
次いで、図４に示すように、ガラスパネル基材(19)に対する外枠材(20)の相対移動を可能とするホットメルト接着剤(27)の性質を利用して、コーナ部材(29)をもって隣接する外枠材(20)の端部同士を連結し組み付ける。すなわち、互いに隣接する各外枠材(20)の両端におけるコーナ部の中空部(28)に、Ｌ字形状のコーナ部材(29)の各挿入片(29a)(29a)を挿入して枠組みする。
【００４４】
この状態で、止着片(23)の一部を切除した切除部(23a)を通して、外側から皿孔(31)に向けて皿ねじ(32)を挿入し、前記コーナ部材(29)の挿入片(29a)を固定することにより組み付ける。
【００４５】
この組み付けの際における隣接する外枠材(20)の端部同士を引き寄せてコーナ部材(29)をもって連結するときの締付力によって、図９，図１０に示すように、ホットメルト接着剤(27)が押し潰されて変形し、その一部が流入貯留溝(28)に流入し、そのままの状態で経時的に固化する。
【００４６】
図６に示すように、支柱(７)は、アルミニウム製からなる中空構造を有し、その前後方向における幅寸法(Ｗ)を、矩形枠(14)の前後両面に取り付けられた１対のパネル材(18)(18)におけるパネル面(18a)(18a)間の厚さ寸法(Ｔ)と同一寸法に形成されている。このため、支柱(７)の強度は、間仕切パネル(10)の厚さに応じて、充分な大きさになり、かつパネル材(18)のパネル面(18a)と、支柱(７)の前後方向における端面(７a)とが、同一平面上に位置することとなる。
【００４７】
図５に示すように、パネル枠体(11)の下部横フレーム(12b)には、レベル調整用のアジャスタ機構(33)が設けられている。このアジャスタ機構(33)は、床面(４)に、地レール(６)と共にビス(５)により固定されたベース金具(34)に、アジャスタボルト(35)を設け、このアジャスタボルト(35)を下部横フレーム(12b)に調整ナット(36)を介して挿通させることにより構成されており、調整ナット(36)を回動することにより、パネル枠体(11)を上下動させて、高さの微調整を行うことができるようになっている。
【００４８】
また、前記パネル枠体(11)における下部横フレーム(12b)の前後両面には、幅木(37)(37)がそれぞれ設けられている。これらの幅木(37)により、前記下部横フレーム(12b)と前記床面(４)との間に形成される隙間は目隠しされ、美観の向上が図られている。
【図面の簡単な説明】
【００４９】
【図１】本発明を用いた間仕切パネル装置による室内の間仕切状態の一実施形態を概略的に示す斜視図である。
【図２】図１に示す間仕切パネルの要部分解斜視図である。
【図３】パネル材の背面図である。
【図４】図３におけるIV−IV線拡大断面図である。
【図５】図１におけるＶ−Ｖ線拡大断面図である。
【図６】図１におけるVI−VI線拡大断面図である。
【図７】ガラスパネル基材の外周端部に、隣接する外枠材の端部同士を連結する前の外枠材を仮止めした状態を示す要部拡大水平断面図である。
【図８】図７に示すパネル材の要部拡大図である。
【図９】外枠材によるガラスパネル基材の保持状態を示す要部拡大水平断面図である。
【図１０】図９に示すパネル材の要部拡大図である。
【符号の説明】
【００５０】
(Ｐ)  間仕切パネル装置
(１)  部屋
(２)  天井部
(３)  天レール
(４)  床面
(５)  ビス
(６)  地レール
(７)  支柱
(7a)  端面
(８)(９)  タッピングねじ
(10)  間仕切パネル
(11)  パネル枠体
(12a) 上部横フレーム
(12b) 下部横フレーム
(12c) 中間横フレーム
(13)  縦フレーム
(14)  矩形枠
(15a)(15b) 締着孔
(16)  連設片
(16a) 横孔
(17)  凹部
(18)  パネル材
(18a) パネル面
(19)  ガラスパネル基材
(19a) 後面周縁部
(19b) 外周端部
(19c) 前面周縁部（傾斜面）
(20)  外枠材
(21)  保持部
(21a) 凹溝
(21b) 後部保持面
(21c) 端部保持面（溝底面）
(21d) 前部保持面
(21e) 角縁部（傾斜面）
(21f) 先端部
(22)  基部
(22a) 内側端部
(23)  止着片
(23a) 切除部
(24)  差込片
(25)  弾性舌片
(25a) 頭部
(26)  止めねじ
(27)  加熱溶融型接着剤（ホットメルト接着剤）
(28)  流入貯留溝
(29)  コーナ部材
(29a) 挿入片
(30)  中空部
(31)  皿孔
(32)  皿ねじ
(33)  アジャスタ機構
(34)  ベース金具
(35)  アジャスタボルト
(36)  調製ナット
(37)  幅木
【図１】
2006016925.tif 000003
【図２】
2006016925.tif 000004
【図３】
2006016925.tif 000005
【図４】
2006016925.tif 000006
【図５】
2006016925.tif 000007
【図６】
2006016925.tif 000008
【図７】
2006016925.tif 000009
【図８】
2006016925.tif 000010
【図９】
2006016925.tif 000011
【図１０】
2006016925.tif 000012